【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
液体が噴射されるノズル開口を有する液体噴射面を備える複数のヘッド本体と、
前記ヘッド本体毎に液体を供給する流路が設けられた流路部材とを備え、
前記流路部材の前記流路は、液体供給源からの液体を供給される流入口に接続される主流と、前記主流から分岐する複数の支流とを含み、
複数の前記支流のそれぞれは、前記ヘッド本体のマニホールド部に接続され、
前記支流における流路断面の断面積は、前記支流の途中で変わり、
前記液体噴射面から前記断面積が変わる位置までの距離は、前記支流毎に異なることを特徴とする液体噴射ヘッド。
【請求項２】
前記主流は、水平方向に延びるように設けられ、
前記支流は、鉛直方向に延びる鉛直流路を含み、
前記鉛直流路は、前記流路断面が第１の断面積の部分と、前記第１の断面積より大きい第２の断面積の部分とを含み、
前記第１の断面積の部分の長さは、前記鉛直流路毎に異なることを特徴とする請求項１記載の液体噴射ヘッド。
【請求項３】
液体の流れ方向において、前記第１の断面積の部分の、前記第２の断面積の部分に対する位置は、前記支流間で同じであることを特徴とする請求項２記載の液体噴射ヘッド。
【請求項４】
前記第２の断面積の部分は、前記第１の断面積の部分よりも下流側にあることを特徴とする請求項３記載の液体噴射ヘッド。
【請求項５】
前記流路断面の断面積が変わる部分は、テーパー形状であることを特徴とする請求項１〜４の何れか一項記載の液体噴射ヘッド。
【請求項６】
前記主流は、鉛直方向に２段設けられ、
前記鉛直方向に２段の前記主流のそれぞれから分岐された２組の前記支流であって、共通の前記ヘッド本体に接続される２組の前記支流における供給圧は、均一であることを特徴とする請求項１〜５の何れか一項記載の液体噴射ヘッド。
【請求項７】
複数の前記支流のうち隣接する前記支流の間に、前記ヘッド本体に接続された配線基板が配設されていることを特徴とする請求項１〜６の何れか一項記載の液体噴射ヘッド。
【請求項８】
複数の前記支流の出口を形成する共通の出口形成部材を備えることを特徴とする請求項１〜７の何れか一項記載の液体噴射ヘッド。
【請求項９】
複数の前記支流を形成する前記流路部材は、共通の流路形成部材を備え、
前記流路形成部材に、前記断面積が途中で変わる前記支流が形成されることを特徴とする請求項１〜８の何れか一項記載の液体噴射ヘッド。
【請求項１０】
複数の前記支流の出口は、径が均一であることを特徴とする請求項１〜９の何れか一項記載の液体噴射ヘッド。
【請求項１１】
複数の前記支流のそれぞれの断面積の最小値は、前記主流の断面積の最小値より小さいことを特徴とする請求項１〜１０の何れか一項記載の液体噴射ヘッド。
【請求項１２】
複数の前記支流の出口のそれぞれの断面積は、前記主流の断面積の最大値より小さく、前記支流のそれぞれの断面積の最小値より大きいことを特徴とする請求項１〜１１の何れか一項記載の液体噴射ヘッド。
【請求項１３】
前記支流は、鉛直方向に延びる鉛直流路と、前記主流と前記鉛直流路との間に設けられて前記主流と前記鉛直流路とに接続される分岐流路であって、前記主流と交差する方向へ液体を流通させる前記分岐流路とを含み、
前記分岐流路は、前記交差する方向に対して交差する面を有する交差部分であって、前記分岐流路の断面積を、前記鉛直流路に向けて小さくする前記交差部分を有する、ことを特徴とする請求項１〜１２の何れか一項記載の液体噴射ヘッド。
【請求項１４】
請求項１〜１３の何れか一項記載の液体噴射ヘッド具備することを特徴とする液体噴射装置。
【手続補正２】
【補正対象書類名】明細書
【補正対象項目名】０００８
【補正方法】変更
【補正の内容】
【０００８】
［態様１］上記課題を解決する本発明の態様は、液体が噴射されるノズル開口を有する液体噴射面を備える複数のヘッド本体と、前記ヘッド本体毎に液体を供給する流路が設けられた流路部材とを備え、前記流路部材の前記流路は、液体供給源からの液体を供給される流入口に接続される主流と、前記主流から分岐する複数の支流とを含み、複数の前記支流のそれぞれは、前記ヘッド本体のマニホールド部に接続され、前記支流における流路断面の断面積は、前記支流の途中で変わり、前記液体噴射面から前記断面積が変わる位置までの距離は、前記支流毎に異なることを特徴とする液体噴射ヘッドにある。
かかる態様では、支流の流路断面の断面積を途中で変えて流路抵抗を変化させるので、各支流を、流路抵抗の異なる流路とすることができ、それぞれの流路の長さを適宜設定することで、例えば、各支流の圧力損失のバラツキを低減させることができ、又は各支流の圧力損失を適宜設定することができる。また、支流の数が多くなっても、その断面積が変わる位置を各支流で適宜設定すればよいので、一律に支流の断面積を変える場合と比較すると、流路の径方向に要する寸法を小さくすることができる。
【手続補正３】
【補正対象書類名】明細書
【補正対象項目名】０００９
【補正方法】変更
【補正の内容】
【０００９】
［態様２］ここで、態様１に記載の液体噴射ヘッドにおいて、前記主流は、水平方向に延びるように設けられ、前記支流は、鉛直方向に延びる鉛直流路を含み、前記鉛直流路は、前記流路断面が第１の断面積の部分と、前記第１の断面積より大きい第２の断面積の部分とを含み、前記第１の断面積の部分の長さは、前記鉛直流路毎に異なることが好ましい。これによれば、主流が水平方向に延設されるので、水平に対して傾斜する流路で供給する場合と比較して、支流の数が複数であっても鉛直方向の寸法を小さくすることができる。また、第１の断面積の部分の長さを鉛直流路毎に異なるようにすることにより、各支流への供給圧を均一化したり所望の値に設定したりし易い。
【手続補正４】
【補正対象書類名】明細書
【補正対象項目名】００１０
【補正方法】変更
【補正の内容】
【００１０】
［態様３］また、態様２に記載の液体噴射ヘッドにおいて、液体の流れ方向において、前記第１の断面積の部分の、前記第２の断面積の部分に対する位置は、前記支流間で同じであることが好ましい。これによれば、ヘッド本体と接続される出口の径を支流間で同じにできるので、ヘッド本体との接続が容易となる。
【手続補正５】
【補正対象書類名】明細書
【補正対象項目名】００１２
【補正方法】変更
【補正の内容】
【００１２】
［態様５］また、態様１〜４に記載の液体噴射ヘッドにおいて、前記流路断面の断面積が変わる部分は、テーパー形状であることが好ましい。これによれば、第１の断面積部分と第２の断面積部分との連結部分での気泡の滞留を低減することができる。
【手続補正６】
【補正対象書類名】明細書
【補正対象項目名】００１５
【補正方法】変更
【補正の内容】
【００１５】
［態様８］また、態様１〜７に記載の液体噴射ヘッドにおいて、複数の前記支流の出口を形成する共通の出口形成部材を備えることが好ましい。これによれば、マニホールドを有するヘッド本体毎に出口形成部材がある場合と比較すると、複数のヘッド本体に対して共通の出口形成部材を備えるので、流路形成部材と複数のヘッド本体との固定が容易となり、ヘッド本体と支流との接続性が向上する。
【手続補正７】
【補正対象書類名】明細書
【補正対象項目名】００１６
【補正方法】変更
【補正の内容】
【００１６】
［態様９］また、態様１〜８に記載の液体噴射ヘッドにおいて、複数の前記支流を形成する前記流路部材は、共通の流路形成部材を備え、前記流路形成部材に、前記断面積が途中で変わる前記支流が形成されることが好ましい。これによれば、支流毎に流路形成部材がある場合と比較すると、複数の支流に対して共通の流路形成部材を備えるので、部品点数を減らすことができる。
【手続補正８】
【補正対象書類名】明細書
【補正対象項目名】００１７
【補正方法】変更
【補正の内容】
【００１７】
［態様１０］また、態様１〜９に記載の液体噴射ヘッドにおいて、複数の前記支流の出口は、径が均一であることが好ましい。これによれば、出口の径が均一なので、出口における流速をヘッド本体毎に揃えることができる。また、出口と接続されるヘッド本体側の口の径が、ヘッド本体毎に同じでよいので、組み立てが容易となる。
【手続補正９】
【補正対象書類名】明細書
【補正対象項目名】００１９
【補正方法】変更
【補正の内容】
【００１９】
［態様１２］また、態様１〜１１に記載の液体噴射ヘッドにおいて、複数の前記支流の出口のそれぞれの断面積は、前記主流の断面積の最大値より小さく、前記支流のそれぞれの断面積の最小値より大きいことが好ましい。これによれば、支流の出口における断面積が、複数の支流間においてこのような関係におさまっているので、このような関係におさまっていない場合と比較すると、支流間の流速のバラツキを低減することができる。また、出口に接続されるヘッド本体側の口の径を、ヘッド本体毎に同等にできるので、組立てが容易となる。
【手続補正１０】
【補正対象書類名】明細書
【補正対象項目名】００２０
【補正方法】変更
【補正の内容】
【００２０】
［態様１３］また、態様１〜１２に記載の液体噴射ヘッドにおいて、前記支流は、鉛直方向に延びる鉛直流路と、前記主流と前記鉛直流路との間に設けられて前記主流と前記鉛直流路とに接続される分岐流路であって、前記主流と交差する方向へ液体を流通させる前記分岐流路とを含み、前記分岐流路は、前記交差する方向に対して交差する面を有する交差部分であって、前記分岐流路の断面積を、前記鉛直流路に向けて小さくする前記交差部分を有する、ことが好ましい。これによれば、分岐流路が交差部分を具備し、交差部分の流路の断面積が徐々に小さくなっているので、分岐流路の交差部分に至るまでの圧力損失を小さくでき、かつ、交差部分で流速を大きくして鉛直流路との接続部分の上側に気泡が留まらないようにすることができる。
【手続補正１１】
【補正対象書類名】明細書
【補正対象項目名】００２１
【補正方法】変更
【補正の内容】
【００２１】
［態様１４］さらに、本発明の他の態様は、態様１〜１３に記載の液体噴射ヘッドを具備することを特徴とする液体噴射装置にある。
かかる態様では、支流の流路断面の断面積を途中で変えて流路抵抗を変化させることにより、各支流を、流路抵抗の異なる流路とすることができ、それぞれの流路の長さを適宜設定することで、例えば、各支流の圧力損失のバラツキを低減させた、又は各支流の圧力損失を適宜設定した液体噴射ヘッドを具備する液体噴射装置が実現される。